(57)【要約】      （修正有）【課題】脱水運転中に任意にろ過板のろ過面全体が洗浄できる連続加圧脱水機を提供する。【解決手段】一対の円盤状のろ過板１、１と環状のろ室外環２とで形成したろ過室４に回転自在な羽根車８を配設した加圧脱水機において、回転環と従動回転環をフロントフレームとリアーフレーム１３に回動可能に配設し、この回転環と従動回転環に支架した洗浄管をろ過室４のろ室外環２の外周面に沿って揺動自在とすると共に、洗浄管から分岐させた洗浄ノズルをろ過板１の外周面に対設させたもので、駆動軸７と同芯状に揺動させる洗浄管は、ろ過板１のろ過面と洗浄管の周回軌跡が近似され、洗浄ノズルでろ過板１のろ過面全体の洗浄が可能となる。【選択図】図１
2004202359.tif 000002
【特許請求の範囲】
【請求項１】
一対のろ過面を有する円盤状のろ過板（１、１）と環状のろ室外環（２）とでろ過室（４）を形成し、このろ過室（４）に回転自在な羽根車（８）を配設した加圧脱水機において、回転環（２９）と従動回転環（３１）をフロントフレーム（１２）とリアーフレーム（１３）に回動可能に配設し、この回転環（２９）と従動回転環（３１）に支架した洗浄管（２０）をろ過室（４）のろ室外環（２）の外周面に沿って揺動自在とすると共に、洗浄管（２０）から分岐させた洗浄ノズル（２２）をろ過板（１）の外周面に対設させたことを特徴とする連続加圧脱水機の洗浄装置。
【請求項２】
上記フロントフレーム（１２）に駆動軸（７）と同芯状に円環状の給液室（２３）を配設し、給液室（２３）の外周面に回動自在な洗浄回転継手（２７）を包着し、洗浄管（２０）の始端部を洗浄回転継手（２７）に連結したことを特徴とする請求項１に記載の連続加圧脱水機の洗浄装置。
【請求項３】
上記回転環（２９）を給液室（２３）の洗浄回転継手（２７）に支架し、従動回転環（３１）の内周面をリアーフレーム（１３）に軸支したローラー（３２…）に摺接支持させたことを特徴とする請求項１または２に記載の連続加圧脱水機の洗浄装置。
【請求項４】
上記フロントフレーム（１２）とリアーフレームに洗浄管駆動減速機（４５）を配設した駆動シャフト（３８）を支架し、駆動シャフト（３８）を回転環（２９）と従動回転環（３１）にそれぞれ連動連結したことを特徴とする請求項１乃至３の何れか１項に記載の連続加圧脱水機の洗浄装置。
【請求項５】
上記駆動シャフト（３８）は、スライドシャフト（４１）に連結した洗浄駆動シャフト（３９）と洗浄従動シャフト（４０）をフロントフレーム（１２）とリアーフレーム（１３）に設けた芯出ブッシュ（３６）とベアリングボックス（３７）に支架した構成からなり、洗浄駆動シャフト（３９）と洗浄従動シャフト（４０）に嵌着した駆動スプロケット（４３）と従動スプロケット（４４）を、回転環（２９）と従動回転環（３１）に巻き掛けたローラーチエーン（３３、３３）にそれぞれ噛合せたことを特徴とする請求項１乃至３の何れか１項に記載の連続加圧脱水機の洗浄装置。
【発明の詳細な説明】
【０００１】
【発明の属する技術分野】
この発明は、産業排水汚泥、下水汚泥などの原液を円環状のろ過室に圧入し、羽根車と原液を供回りさせながら、ろ過板からろ液を排出して濃縮脱水する連続加圧脱水機に関し、詳しくは、連続加圧脱水機の洗浄装置の改良に関する。
【０００２】
【従来の技術】
従来、円盤状のろ過板とろ室外環とでろ過室を形成し、このろ過室に回転自在な羽根車を配設した連続加圧脱水機は公知である。そして、ろ過室の中心部から圧入した原液を羽根車で供回りさせながら、ろ過板と原液との間に発生する摩擦抵抗と、ろ過面に積層するケーキと原液との間にせん断摩擦抵抗力を発生させて脱水し、羽根車でろ過面のケーキを掻取りながらろ室外環の排出口からケーキを取出す連続加圧脱水機を、特許文献１でこの発明の出願人が提案している。また、この連続加圧脱水機に、ろ過板に対設した洗浄ノズルを回転自在な洗浄水管に連結し、洗浄ノズルをろ過板の外周面上を揺動させる洗浄装置も、特許文献１で提案している。
【０００３】
【特許文献１】
ＷＯ００／１６９７０号公報、（詳細な説明の欄、第４頁の下から６行目乃至２行目、Ｆｉｇ１９）
【０００４】
【発明が解決しようとする課題】
従来の連続加圧脱水機は、ろ過室を多数並列すれば大容量処理が可能であり、広い設置スペースも必要とせず、ろ布などの消耗品も不用となる。従来の洗浄水管を回転させてろ過板のろ過面を洗浄する装置は、ろ過脱水を行ないながらろ過板の再生が行なえるものであるが、洗浄ノズルをろ過板の外周面上を往復動させても、ろ過板の回転と洗浄ノズルの周回軌跡が異なるため、駆動軸の下方のろ過板を洗浄することは困難であった。この発明は、ろ過板の回転と洗浄管の周回軌跡を近似させ、ろ過面全体が洗浄できて、連続運転を可能とする連続加圧脱水機を提供する。
【０００５】
【課題を解決するための手段】
この発明の要旨は、一対のろ過面を有する円盤状のろ過板と環状のろ室外環とでろ過室を形成し、このろ過室に回転自在な羽根車を配設した加圧脱水機において、回転環と従動回転環をフロントフレームとリアーフレームに回動可能に配設し、この回転環と従動回転環に支架した洗浄管をろ過室のろ室外環の外周面に沿って揺動自在とすると共に、洗浄管から分岐させた洗浄ノズルをろ過板の外周面に対設させたもので、ろ過板の回転と洗浄ノズルの周回軌跡を近似させることができる。
【０００６】
洗浄水の供給手段が、フロントフレームに駆動軸と同芯状に円環状の給液室を配設し、給液室の外周面に回動自在な洗浄回転継手を包着し、洗浄管の始端部を洗浄回転継手に連結したもので、洗浄管を揺動させながらろ過面全体が洗浄できる。また、回転環を給液室の洗浄回転継手に支架し、従動回転環の内周面をリアーフレームに軸支したローラーに摺設支持させたもので、回転環と従動回転環を回転させて、洗浄管を駆動軸と同芯状に公転させることができる。
そして、洗浄管の回動手段が、フロントフレームとリアーフレームに洗浄管駆動減速機を配設した駆動シャフトを支架し、駆動シャフトを回転環と従動回転環にそれぞれ連動連結したものである。
【０００７】
具体的な駆動手段が、駆動シャフトは、スライドシャフトに連結した洗浄駆動シャフトと洗浄従動シャフトをフロントフレームとリアーフレームに設けた芯出ブッシュとベアリングボックスに支架した構成からなり、洗浄駆動シャフトと洗浄従動シャフトに嵌着した駆動スプロケットと従動スプロケットを、回転環と従動回転環に巻き掛けたローラーチエーンにそれぞれ噛合せたもので、洗浄管駆動減速機の動力を回転環と従動回転環に伝達することができる。
【０００８】
【発明の実施の形態】
この発明に係る装置は上記のように構成してあり、原液をろ過室に圧入すれば、ろ過板のろ過面にケーキ層が徐々に形成される。羽根車に止着したスクレーパがろ過板のろ過面に摺接しながら回転し、目詰まりせんとする薄いケーキ層を掻取り、ケーキを搬送しながらろ過板のろ過面を再生する。羽根車で掻取られたケーキはろ過室の外周部に送られて、やがて、ろ液を分離したケーキは流動性を失い、羽根車と一緒に回転するケーキが徐々にろ過室から排出される。
【０００９】
ろ過板が目詰まりして、ろ過性が悪くなった時には、洗浄管駆動減速機を駆動するとスライドシャフトに嵌着した駆動スプロケットと従動スプロケットが回転する。駆動スプロケットと従動スプロケットの回転が回転環と従動回転環に巻き掛けたローラーチエーンに伝達され、回転環と従動回転環を回転させる。回転環と従動回転環に止着した洗浄管がろ過室のろ室外環外周面に沿って回動し、洗浄管から分岐した洗浄枝管がろ過板のろ過面に向って揺動する。給液室から供給された洗浄水がろ過室の外側からろ過板のろ過面を洗浄し、ろ過板のろ過面を再生する。運転終了時には、洗浄ノズルから吹き出される洗浄水によってろ過板のろ過面に付着したろ滓を洗浄し、連続加圧脱水機を停止する。
脱水運転中に任意にろ材の洗浄が可能であり、目詰まり性の早い原液の場合、特に有効である。
【００１０】
【実施例】
この発明に係る連続加圧脱水機を図面に基づき詳述すると、図１はこの発明に係る連続加圧脱水機の要部縦断面図であって、金属ろ材を張設した一対の円板状のろ過板１、１に、その外周端に環状のろ室外環２と、内周端に内環支持筒３が連結してあり、一対のろ過板１、１の間に円環状のろ過室４が形成してある。内環支持筒３の前後にろ過板スペーサ５、５が連結してあり、内環支持筒３の内部に給液室２３を形成してある。ろ過板スペーサ５、５に支架された給液室２３の内部に駆動軸７が挿通してあり、ろ過室４に配設した羽根車８が駆動軸７に止着してある。駆動軸７に原液の供給路９が設けてあり、供給路９の給液孔９ａが給液室２３に開口してある。駆動軸７の供給路９から供給した原液を給液室２３に圧入し、給液室２３から円周方向のろ過室４に流入させる。初期には、圧入圧力でろ過板１のろ過面からろ液を分離して、ろ過板１のろ過面にケーキ層を形成させる。
【００１１】
図２に示すように、前後の内環支持筒３、３を支持するフロントスペーサ１０とリアースペーサ１１がフロントフレーム１２とリアーフレーム１３に連結してあり、並列したろ過室４…を支架させてある。駆動軸７はフロントスペーサ１０とリアースペーサ１１を挿通して、フロントフレーム１２とリアーフレーム１３に配設した軸受１４ａ、１４ｂに軸支されている。図３に示すように、駆動軸１２に嵌着したスプロケット１５がフロントフレーム１２の架台１６に配設した駆動機１７にチエーン１８で連動連結してある。駆動機１７の駆動を駆動軸７に伝達し、羽根車８をろ過室４で回転自在としてある。駆動軸７の供給路９からろ過室４の中心部に圧入した原液を羽根車８で供回りさせながら、ろ過板１と原液との間に発生する摩擦抵抗と、ろ過板１のろ過面に積層するケーキと原液との間にせん断摩擦抵抗力を発生させて脱水し、羽根車８でろ過面のケーキを掻取りながら、図２に示す、ろ室外環２に設けた排出口１９からケーキを排出する。
【００１２】
図２及び図３に示すように、ろ過室４のろ室外環２に沿って洗浄管２０が配設してあり、洗浄管２０に洗浄枝管２１が分岐してあり、洗浄枝管２１に連結した洗浄ノズル２２がろ過板のろ過面に対設してある。図４は洗浄管への洗浄水の供給装置であって、フロントフレーム１に連結した円環状の給液室２３が、駆動軸７と同芯状に配設してある。給液室２３に蓋２４が嵌着してあり、蓋２４の外周面に環状溝を穿設したスリーブ２５が配設してある。この蓋にＯリング２６で水封した摺動自在な円環状の洗浄回転継手２７が枢着してあり、この洗浄回転継手２７に洗浄管２０の基端部を曲折して連結してある。図３に示すように、給液室２３に洗浄水供給管２８が連結してあり、洗浄水供給管２８から給液室２３に圧入した洗浄水を洗浄管２０に供給する。
【００１３】
図５はフロントフレーム側の回転環の支持装置であって、駆動軸７と同芯状に配設した回転環２９が複数の連結杆３０で給液室２３の周部の洗浄回転継手２７に連結してあり、図４に示すように、回転環２９が洗浄回転継手２７とともに回動自在としてある。  図６はリアーフレーム側の従動回転環の支持装置であって、円環状の従動回転環３１が駆動軸７と同芯状に配設してある。図７に示すように、その内周面をリアーフレーム１３に軸支した複数のローラー３２…に摺接させて、従動回転環３１を回動自在としてある。図４及び図７に示すように、洗浄管２０の両端部が回転環２９と従動回転環３１に支架してある。図８及び図９は回転環２９と従動回転環３１の要部側面図であって、回転環２９と従動回転環３１にローラーチエーン３３がそれぞれ巻き掛けてあり、ローラーチエーン３３の端部に連結したエンドボルト３４で取付座３５に固定してある。
【００１４】
図１０は洗浄管の駆動装置であって、フロントフレーム１２に設けた芯出ブッシュ３６とリアーフレーム１３のベアリングボックス３７に駆動シャフト３８が支架してある。駆動シャフト３８は、洗浄駆動シャフト３９と洗浄従動シャフト４０がスライドシャフト４１にユニバーサルジョイント４２、４２を介して連結した構成としてある。洗浄駆動シャフト３９と洗浄従動シャフト４０にそれぞれ駆動スプロケット４３と従動スプロケット４４が嵌着してあり、回転環２９と従動回転環３１に巻き掛けたローラーチエーン３３、３３にそれぞれ駆動スプロケット４３と従動スプロケット４４が噛合せてある。フロントフレーム１２に支架した洗浄管駆動減速機４５が洗浄駆動シャフト３９に連動連結してあり、洗浄管駆動減速機４５を駆動して、洗浄駆動シャフト３９と洗浄従動シャフト４０を回転させ、回転環２９と従動回転環３１を回動させて洗浄管２０をろ過室４のろ室外環２の外周面に沿って回動させ、洗浄管２０から分岐させた洗浄ノズル２２をろ過板１の仮想周回軌跡に沿って回転させる。
【００１５】
図１１は洗浄管の回動位置の検知装置であって、フロントフレーム１２に配設した取付座４６に近接スイッチ４７が支架してあり、近接スイッチ４７が回転環２９の周部に止着した一対の検出板４８の回動位置に対設してある。この近接スイッチ４７の検知信号により洗浄管駆動減速機４５を正逆転させて洗浄管２０をろ室外環２の周面に沿って回動させ、洗浄ノズル２２をろ過板１のろ過面全体を洗浄できる。
【００１６】
【発明の効果】
この発明の連続加圧脱水機は上記のように構成してあり、ろ過板の回転と洗浄管の周回軌跡を近似させ、ろ過面全体が洗浄でき、連続運転が可能となるものである。即ち、従来の洗浄水管を回転させてろ過板のろ過面を洗浄する装置は、洗浄ノズルをろ過板の外周面上を往復動させても、ろ過板の回転と洗浄ノズルの周回軌跡が異なるため、ろ過板全体を均一に洗浄することは困難であったものであるが、この発明にあっては、回転環と従動回転環に支架した洗浄管を、円盤状のろ過室のろ室外環に沿って揺動自在とし、洗浄管から分岐させた洗浄ノズルをろ過板の外周面に対設させたので、ろ過板の回転と洗浄管の周回軌跡が近似され、洗浄ノズルでろ板のろ過面全体の洗浄が可能となる。そして、脱水運転中に任意にろ材の洗浄が行なえる。
【００１７】
洗浄水の供給手段が、フロントフレームに配設した円環状の給液室を包着した洗浄回転継手に洗浄管の始端部を連結したので、洗浄管を揺動させながら洗浄できる。また、回転環を給液室の洗浄回転継手に支架し、従動回転環の内周面をリアーフレームに軸支したローラーに摺設支持させたので、回転環と従動回転環を回転させて、洗浄管が駆動軸と同芯状に公転可能となる。そして、洗浄管の回動手段が、洗浄管駆動減速機を配設した駆動シャフトを回転環と従動回転環にそれぞれ連動連結したので、洗浄管駆動減速機の動力を回転環と従動回転環に伝達できる。
【図面の簡単な説明】
【図１】この発明に係る連続加圧脱水機の要部縦断面図である。
【図２】この発明に係る連続加圧脱水機の縦断面図である。
【図３】同じく、連続加圧脱水機の横断面図である。
【図４】同じく、洗浄管への供給装置の縦断面図である。
【図５】同じく、フロントフレーム側の回転環と洗浄管の支持装置の正面図である。
【図６】同じく、リアーフレーム側の従動回転環と洗浄管の支持装置の後面図である。
【図７】同じく、従動回転環と洗浄管の支持装置の縦断面図である。
【図８】同じく、ロータリーチエーンを取付けた回転環の要部側面図である。
【図９】同じく、ロータリーチエーンを取付けた従動回転環の要部側面図である。
【図１０】同じく、フロントフレームとリアーフレームに支架した駆動シャフトの縦断面図である。
【図１１】同じく、回転環に対設した検知装置の側面図である。
【符号の説明】
１  ろ過板
２  ろ室外環
４  ろ過室
７  駆動軸
８  羽根車
１２  フロントフレーム
１３  リアーフレーム
２０  洗浄管
２２  洗浄ノズル
２３  給液室
２７  洗浄回転継手
２９  回転環
３１  従動回転環
３２  ローラー
３３  ローラーチエーン
３６  芯出ブッシュ
３７  ベアリングボックス
３８  駆動シャフト
３９  洗浄駆動シャフト
４０  洗浄従動シャフト
４１  スライドシャフト
４３  駆動スプロケット
４４  従動スプロケット
４５  洗浄管駆動減速機
【図１】
2004202359.tif 000003
【図２】
2004202359.tif 000004
【図３】
2004202359.tif 000005
【図４】
2004202359.tif 000006
【図５】
2004202359.tif 000007
【図６】
2004202359.tif 000008
【図７】
2004202359.tif 000009
【図８】
2004202359.tif 000010
【図９】
2004202359.tif 000011
【図１０】
2004202359.tif 000012
【図１１】
2004202359.tif 000013
【手続補正書】
【提出日】平成15年2月20日(2003.2.20)
【手続補正１】
【補正対象書類名】明細書
【補正対象項目名】０００４
【補正方法】変更
【補正の内容】
【０００４】
【発明が解決しようとする課題】
従来の連続加圧脱水機は、ろ過室を多数並列すれば大容量処理が可能であり、広い設置スペースも必要とせず、ろ布などの消耗品も不用となる。従来の洗浄水管を回転させてろ過板のろ過面を洗浄する装置は、ろ過脱水を行ないながらろ過板の再生が行なえるものであるが、洗浄ノズルをろ過板の外周面上を往復動させても、ろ過板のろ過面と洗浄ノズルの周回軌跡が異なるため、駆動軸の下方のろ過板を洗浄することは困難であった。この発明は、ろ過板のろ過面と洗浄管の周回軌跡を近似させ、ろ過面全体が洗浄できて、連続運転を可能とする連続加圧脱水機を提供する。


【手続補正２】
【補正対象書類名】明細書
【補正対象項目名】０００５
【補正方法】変更
【補正の内容】
【０００５】
【課題を解決するための手段】
この発明の要旨は、一対のろ過面を有する円盤状のろ過板と環状のろ室外環とでろ過室を形成し、このろ過室に回転自在な羽根車を配設した加圧脱水機において、回転環と従動回転環をフロントフレームとリアーフレームに回動可能に配設し、この回転環と従動回転環に支架した洗浄管をろ過室のろ室外環の外周面に沿って揺動自在とすると共に、洗浄管から分岐させた洗浄ノズルをろ過板の外周面に対設させたもので、洗浄ノズルをろ過板の仮想周回軌跡に沿って回転させることができる。
【手続補正３】
【補正対象書類名】明細書
【補正対象項目名】００１６
【補正方法】変更
【補正の内容】
【００１６】
【発明の効果】
この発明の連続加圧脱水機は上記のように構成してあり、ろ過板のろ過面と洗浄管の周回軌跡を近似させ、ろ過面全体が洗浄でき、連続運転が可能となるものである。即ち、従来の洗浄水管を回転させてろ過板のろ過面を洗浄する装置は、洗浄ノズルをろ過板の外周面上を往復動させても、ろ過板のろ過面と洗浄ノズルの周回軌跡が異なるため、ろ過板全体を均一に洗浄することは困難であったものであるが、この発明にあっては、回転環と従動回転環に支架した洗浄管を、円盤状のろ過室のろ室外環に沿って揺動自在とし、洗浄管から分岐させた洗浄ノズルをろ過板の外周面に対設させたので、ろ過板の仮想周回軌跡に沿って回転させることができ、洗浄ノズルでろ板のろ過面全体の洗浄が可能となる。そして、脱水運転中に任意にろ材の洗浄が行なえる。